(57)【要約】【課題】合成樹脂を主体とした宝飾品の提供【解決手段】金属材料で構成した宝飾品用基台上に、未硬化の歯科治療用光硬化性合成樹脂粉末（ポリマー）と樹脂液（モノマー）、あるいは宝飾用合成樹脂粉末（ポリマー）と樹脂液（モノマー）との混合物を光重合硬化または常温重合硬化させて形成された宝飾体を取り付けてなる宝飾品である。【効果】人体に対するアレルギーの恐れもなく、経済的に美的な製品がえられる。【選択図】　　図３
0003098869.tif 000002
【実用新案登録請求の範囲】
【請求項１】
金属材料で構成した宝飾品用基台上に、未硬化の歯科治療用光硬化性合成樹脂粉末（ポリマー）と樹脂液（モノマー）、あるいは宝飾用合成樹脂粉末（ポリマー）と樹脂液（モノマー）との混合物を光重合硬化または常温重合硬化させて形成された宝飾体を取り付けてなることを特徴とする合成樹脂を主体とした宝飾品。
【請求項２】
硬化後、宝飾体を所定形状に研磨した後、艶出仕上げがされている請求項１記載の合成樹脂を主体とした宝飾品。
【請求項３】
合成樹脂に着色成分が配合された請求項１または２記載の合成樹脂を主体とした宝飾品。
【請求項４】
合成樹脂層内に平面又は立体像が埋め込まれた請求項１、２又は３記載の合成樹脂を主体とした宝飾品。
【考案の詳細な説明】
【０００１】
【考案の属する技術分野】
本考案は、指輪、ブローチ、ネックレスなどの身飾品の主要部に使用されている宝飾品、特に人体に対するアレルギーのない歯科治療用合成樹脂または宝飾用合成樹脂を主体とした宝飾品に関する。
【０００２】
【従来の技術】
従来から、宝飾品としてはダイヤモンド、ルビー、エメラルド、トパーズ、瑪瑙など天然の宝石が古くから愛用されているが、これらは希少価値があり、高価でもあって入手が思うようにらないことはよく知られている。
そこで、これら天然の宝石の代わりとして、そっくりの模造宝石が色々と工夫され、各種の製品が市販されている。
【０００３】
【考案が解決しようとする課題】
模造宝石といっても、天然物と同じ構成材料で、製造されたダイヤモンド、ルビー、エメラルドも知られてはいるものの、その製品に天然物のような風合いをもたせることは極めてむつかしく、製造コストも高価につく場合が多い。
割合、身近なものとして、七宝製品があるが、その製造に高温（８００℃〜）処理が必要なため、素材の選定に制約があるという問題があった。
【０００４】
また、合成樹脂を使用した装飾材料の提案もいくつかなされている（特開平５−１８４４１７号公報、特開平６−２５３９１４号公報、特開平１０−１６６７９９号公報、特開平１１−１３３２０３号公報）。
これらは、特殊な皮膜処理を行なったり、加熱溶融が必要であったり、特別の材料を配合したりなどの工程が必須要件であり、簡単に目的物を得ることは出来ない。
【０００５】
本考案は、前記従来の問題点を解消し、簡単な手法により、指輪、ブローチ、ネックレスなどの身飾品の主要部に使用されている宝飾品を提供することを目的としている。
【０００６】
【課題を解決するための手段】
上記目的を解決するため、本考案者は鋭意研究を重ねた結果、歯科における治療に使用されている光硬化性の合成樹脂材料あるいは宝飾用合成樹脂が、宝飾材の主体として、人体に対してもアレルギーを示す事無く用いることができることを知見し、本考案を完成するに至った。
【０００７】
すなわち、前述の知見に基づいてなされた本考案は、金属材料で構成した宝飾品用基台上に、未硬化の歯科治療用光硬化性合成樹脂粉末（ポリマー）と樹脂液（モノマー）、あるいは宝飾用合成樹脂粉末（ポリマー）と樹脂液（モノマー）との混合物を光重合硬化または常温重合硬化させて形成された宝飾体を取り付けてなることを特徴とする合成樹脂を主体とした宝飾品を要旨としている。
【０００８】
また本考案は、合成樹脂が歯科治療用または宝飾用であり、硬化後の宝飾体が所定形状に研摩され、艶出し加工されたものや、合成樹脂に着色成分が配合されたもの、合成樹脂層内に平面又は立体像が埋め込まれた合成樹脂を主体とした宝飾品も要旨としている。
【０００９】
【考案の実施の形態】
本考案の構成と作用を説明する。
本考案における宝飾品の主体は、歯科治療に使用される合成樹脂（レジン）あるいは宝飾用合成樹脂より構成されている。
【００１０】
これらの合成樹脂としては、矯正用即時重合レジン（たとえばロッキーマウンテンモリタ株式会社製　商品名：オーソクリスタル）や、操作時間延長型即時重合レジン（たとえば山八歯材工業株式会社製　商品名：オーソブライト）、光重合硬化型レジン（たとえばプロシモ社製　商品名：トランスルーセント、あるいは（株）アーテック製　商品名：クラフトカラー）などが使用できる。
【００１１】
本考案に使用する歯科用材料あるいは宝飾用合成樹脂は、紫外線硬化型と常温硬化型とがあり、室内においての作業では、いずれも特に支障は起こらない。
【００１２】
図面により本考案を具体的に説明するが、本考案はこれにより限定されるものではない。
図１（ａ）、（ｂ）は、本考案宝飾品の主体を形成するための型１であり、種々の形状（オーバル、カットなど）をもった凹み２が複数並べられている。型１は凹み２の形状が作りやすいように金属（アルミニウム、軟鋼、銅、真鍮など）あるいはガラスで作るのが好ましい。
【００１３】
宝飾品の主体を形成する場合、材料として宝飾体１個あたり合成樹脂粉末（ポリマー）１．７ｇと、樹脂液（モノマー）１ｍｌ（１ミリリットル）の割合で、それぞれ硬質ガラス又は金属製のコップに別々に入れる。
【００１４】
宝飾品に着色する場合はステイン（歯科用着色剤）を使用する。合成樹脂粉末自体に色が付いている場合があり（たとえば（株）アーテック製　商品名：クラフトカラー、山八歯材工業株式会社製　商品名：オーソブライト）、所定の色調であれば前記ステインの添加は不要である。
【００１５】
この両者を混合し、よく練り合わせる。練り合わせた混合物が泥状になるのが好ましい。この際注意すべきことは、樹脂液（モノマー）が多くなる場合が多いため、残留モノマーが発生しやすいことである。ポリマー、モノマーの重量割合は、材質にもよるが、１：０．３〜３の範囲であり、好ましくは１：０．７〜１．２、もっとも最適なのは１：１の場合である。
【００１６】
練り合わせはなるべく速やかに行ない、混合物５を、ワセリンなどの離型剤を薄く塗布した前述の型１の凹み２に均等に注入する。ガラス製の型の場合には離型剤の塗布は不要である。金属製の型の場合、型表面に鏡面めっきが施されておれば、離型剤の塗布は不要である。
【００１７】
硬化処理の前に、図２のような平面又は立体像３（金属や宝石など）を埋め込むことも出来る。この場合、硬化後の取出しを容易にするために細い棒４を平面又は立体像３の背後につけるとよい。
【００１８】
この場合、立体像を宝飾樹脂混合物の中心部に位置させるために図４（ａ）のように型凹み２の両側に対称形の溝７，７を設け、図５のように、立体像に取り付けた下方に湾曲した細い棒４の枝部４１，４２の先端を溝７，７に入れ、ワックス８（たとえば（株）ＧＣ製　商品名：ユーティリティーワックス）を使って前記枝部４１，４２の先端部を押さえこむ。これによって、立体像を宝飾樹脂混合物の中心部に容易に位置させることが出来る。取り外しも簡単で、テープなどにより固定するよりも簡単で時間もかからず、半永久的に使用できる。
【００１９】
型１の表面が鏡面になっておれば、前記溝７，７がない場合でも、前記ワックスにより枝部４１，４２の先端部を型が持ち上げられる程度に付着させることが出来、取り外しも容易である。
【００２０】
樹脂混合物５の注入が終わりしだい、この型を真空容器に収納して脱泡処理を行なう。通常、脱泡処理は圧力０．４×１０６パスカル、５０〜６０分程度、樹脂混合物５が硬化するまでおこなう。大量に製造する場合には、途中で硬化が始まる可能性があるため、操作時間延長型レジン（たとえば山八歯材株式会社製　商品名：オーソブライト）を使用することがのぞましい。
【００２１】
脱泡処理後、多少硬化が進んだところで光重合機（たとえばモリタ株式会社製商品名：アルファライト）により５分間以上照射処理し、レジンを重合硬化させる。常温重合硬化型レジンでステインを使用していなければ前記の処理は必要ない。
【００２２】
硬化が終了したのち、型１から宝飾体Ａを取り出す。この時冷水に型を漬けると宝飾体Ａは簡単に型から外れる。うまく外れないときは、木槌で軽く叩く。宝飾体Ａの表面はきれいであるが、艶出しをする場合には、市販の艶出し剤（たとえば（株）トップラーデンタル製　商品名：ピカペーストＧ）を使用する。
【００２３】
型から取り出した宝飾体Ａは、まず細い棒４を切り離す。表面Ｚの部分に凹凸があると基台６に嵌め合わせられないので、平面研摩機（たとえば（株）コテックス製）などで削って平らにすることは容易であり、時間もかからない。
型から取り出した宝飾体Ａは、必要に応じて通常の研摩手段により艶出し研摩を行なう。艶出しは乾式と湿式があるが、湿式のほうが焼けを起こす度合いが少ない。
【００２４】
艶出し不要の宝飾体Ａあるいは艶出しが終わった宝飾体Ａは、基台６となる指輪、ペンダントトップ、ネックレスに、通常の留め方、爪留め、ふくりん留めなどで固着して完成される。
【００２５】
少数の宝飾体を作る場合には、七宝で行なわれている重ね盛りの技術に類似した手法で行なう。
まず、通常の手法で指輪、ペンダントトップ、ネックレスの基台６を金属（プラチナ、金、銀、真鍮など）で作成する。
【００２６】
次に、前述した歯科治療用合成樹脂を用意する。即時重合型レジンの場合は、ダッペングラス（これはガラス製の小さなコップである。）に、レジン粉末（ポリマー）とレジン液（モノマー）を別々に入れて、レジン液にはステイン（これは歯科用着色剤である。たとえば松風株式会社製　商品名：ソリデックス）を入れて混ぜる。使用量は、ポリマー２ｇ（レジン粉末）、モノマー３ｍｌ（３ミリリットル：レジン液）である。ステインは、通常歯科材料で使われているものを使用する。赤い宝飾体を作る場合には赤色のステインを混合する。使用するステイン量は０．３ｍｇである。宝飾体１個あたりの材料は流し込み法に比べると多く必要である。
【００２７】
筆をレジン液（モノマー）に漬け、その筆先にレジン粉末（ポリマー）を付着させて、前述の基台６上に盛り付ける。この操作を繰り返して、さらに筆盛りをしていく。重ね筆盛りの途中で、平面又は立体像（金属や宝石など）を介在させてこれらを一緒に、レジン層５のなかに埋め込んでも良い。所定の大きさまで筆盛りをしたのち、ステインは光重合性であるから、光重合機（たとえばモリタ株式会社製　商品名：アルファライト）により５分間以上照射処理し、レジンを重合硬化させる。
【００２８】
硬化が終わった宝飾体Ａは、リューター（ＴＰ型ハンドモーター）などで、♯８００番の耐水ペーパーあるいはカーボランダムポイントやシリコンポイントを使い、丸みを持たせるように形成していく。バフ研摩によって仕上げ艶出しをして完成する。基台６に設けた爪を、レジン層重ね筆盛りの際に内側へ埋め込んで一体化することが必要である。
【００２９】
【考案の効果】
本考案に係る宝飾品は以上説明したように構成されているから、その製作が簡単であり、加熱や、材料の溶融等の必要もなく、紫外線硬化型の歯科用材料あるいは紫外線硬化型や常温硬化型の宝飾用合成樹脂が主原料であるため、人体に対するアレルギーの恐れもなく、経済的でしかも、美的な製品がえられるものであり、産業上極めて有用である。
【図面の簡単な説明】
【図１】本考案品を大量に形成する型の概要図である。
【図２】本考案品作成の実施態様を示す断面図である。
【図３】本考案品の概要を示す斜視図である。
【図４】本考案品を大量に形成する別の型の概要図である。
【図５】本考案品作成の別の実施態様を示す断面図である。
【符号の説明】
１　　　　　　　型
２　　　　　　　凹み
３　　　　　　　埋め込み像
４　　　　　　　取出し棒
４１，４２　　　取出し棒枝部
５　　　　　　　光硬化性樹脂層
６　　　　　　　基台
７　　　　　　　溝
８　　　　　　　ワックス
Ａ　　　　　　　宝飾体
Ｚ　　　　　　　宝飾体の取り付け面
【図１】
0003098869.tif 000003
【図２】
0003098869.tif 000004
【図３】
0003098869.tif 000005
【図４】
0003098869.tif 000006
【図５】
0003098869.tif 000007
【手続補正書】
【提出日】平成15年8月4日(2003.8.4)
【手続補正１】
【補正対象書類名】明細書
【補正対象項目名】請求項１
【補正方法】変更
【補正の内容】
【請求項１】
金属材料で構成した宝飾品用基台上に、未硬化の歯科治療用光硬化性合成樹脂粉末と樹脂液、あるいは宝飾用合成樹脂粉末と樹脂液との混合物を光重合硬化または常温重合硬化させて形成された宝飾体を取り付けてなることを特徴とする合成樹脂を主体とした宝飾品。
【手続補正２】
【補正対象書類名】明細書
【補正対象項目名】０００７
【補正方法】変更
【補正の内容】
【０００７】
すなわち、前述の知見に基づいてなされた本考案は、金属材料で構成した宝飾品用基台上に、未硬化の歯科治療用光硬化性合成樹脂粉末と樹脂液、あるいは宝飾用合成樹脂粉末と樹脂液との混合物を光重合硬化または常温重合硬化させて形成された宝飾体を取り付けてなることを特徴とする合成樹脂を主体とした宝飾品を要旨としている。


【手続補正３】
【補正対象書類名】明細書
【補正対象項目名】００１３
【補正方法】変更
【補正の内容】
【００１３】
宝飾品の主体を形成する場合、材料として宝飾体１個あたり合成樹脂粉末１．７ｇと、樹脂液１ｍｌ（１ミリリットル）の割合で、それぞれ硬質ガラス又は金属製のコップに別々に入れる。


【手続補正４】
【補正対象書類名】明細書
【補正対象項目名】００１５
【補正方法】変更
【補正の内容】
【００１５】
この両者を混合し、よく練り合わせる。練り合わせた混合物が泥状になるのが好ましい。この際注意すべきことは、樹脂液が多くなる場合が多いため、残留樹脂液が発生しやすいことである。合成樹脂粉末、樹脂液の重量割合は、材質にもよるが、１：０．３〜３の範囲であり、好ましくは１：０．７〜１．２、もっとも最適なのは１：１の場合である。


【手続補正５】
【補正対象書類名】明細書
【補正対象項目名】００２６
【補正方法】変更
【補正の内容】
【００２６】
次に、前述した歯科治療用合成樹脂を用意する。即時重合型レジンの場合は、ダッペングラス（これはガラス製の小さなコップである。）に、レジン粉末とレジン液を別々に入れて、レジン液にはステイン（これは歯科用着色剤である。たとえば松風株式会社製　商品名：ソリデックス）を入れて混ぜる。使用量は、レジン粉末２ｇ、レジン液３ｍｌ（３ミリリットル）である。ステインは、通常歯科材料で使われているものを使用する。赤い宝飾体を作る場合には赤色のステインを混合する。使用するステイン量は０．３ｍｇである。宝飾体１個あたりの材料は流し込み法に比べると多く必要である。


【手続補正６】
【補正対象書類名】明細書
【補正対象項目名】００２７
【補正方法】変更
【補正の内容】
【００２７】
筆をレジン液に漬け、その筆先にレジン粉末を付着させて、前述の基台６上に盛り付ける。この操作を繰り返して、さらに筆盛りをしていく。重ね筆盛りの途中で、平面又は立体像（金属や宝石など）を介在させてこれらを一緒に、レジン層５のなかに埋め込んでも良い。所定の大きさまで筆盛りをしたのち、ステインは光重合性であるから、光重合機（たとえばモリタ株式会社製　商品名：アルファライト）により５分間以上照射処理し、レジンを重合硬化させる。